(57)【要約】  本発明は、通信システムの加入者（Ａ、Ｂ）のプロフィル（ＰＡ、ＰＢ）の匿名式の識別のための方法に関し、この方法においては、ａ.）加入者（Ａ、Ｂ）が加入者特有のプロフィル（ＰＡ、ＰＢ）を各通信装置（Ｅ）及び各通信装置（Ｅ）に結合されている各モジュール（Ｈ、ＭＡ、ＭＢ）又はそのいずれか一方において各入力ユニットを介して定義しかつ記憶し、ｂ.）通信装置（Ｅ）に結合されている各モジュール（Ｈ、ＭＡ、ＭＢ）を用いて無線の、ローカルに限られたネットワークテクノロジーに基づいて通信システムの他の加入者（Ｂ、Ａ）のプロフィル（ＰＢ、ＰＡ）が収集され、各通信装置（Ｅ）に定義されかつ記憶されたプロフィル（ＰＢ、ＰＡ）と比較され、加入者特有の相関しきい（ＫＡ、ＫＢ）に従って棄却されるか、または各加入者（Ａ、Ｂ）に報知され、ｃ.）通信システムの中間結合された供給者（Ｐ）を介して加入者（Ａ、Ｂ）間の通信接続が各加入者側の能動化の際に作られる。さらに本発明は、モジュール（Ｈ、ＭＡ、ＭＢ）に関し、このモジュールは移動性の通信装置（Ｅ）に集積可能であり、かつ移動性の通信装置（Ｅ）にインタフェースを介して結合可能であるか、又はそのいずれか一方であり、少なくとも下記の要素：Ａ.）プロフィルを記憶するための記憶ユニット（Ａ）、Ｂ.）通信システムの加入者（Ａ、Ｂ）のプロフィル（ＰＡ、ＰＢ）を収集（スキャン）するための、無線の、ローカルに限られたネットワークテクノロジーに基づいて機能する収集ユニット（Ｂ）、Ｃ．）プロフィル（ＰＡ、ＰＢ）を相互に比較するための相関ユニット（Ｃ）、Ｄ．）信号化／同期化ユニット（Ｄ）を有する。
2005514866.tif 000002
【特許請求の範囲】
【請求項１】
通信システムの加入者（Ａ、Ｂ）のプロフィル（ＰＡ、ＰＢ）の匿名式の識別のための方法において、
ａ．加入者（Ａ、Ｂ）が加入者特有のプロフィル（ＰＡ、ＰＢ）を各通信装置（Ｅ）及び各通信装置（Ｅ）に結合されている各モジュール（Ｈ、ＭＡ、ＭＢ）又はそのいずれか一方において各入力ユニットを介して定義しかつ記憶し、
ｂ．各通信装置（Ｅ）に結合されている各モジュール（Ｈ、ＭＡ、ＭＢ）を用いて無線の、ローカルに限られたネットワークテクノロジーに基づいて通信システムの他の加入者（Ｂ、Ａ）のプロフィル（ＰＢ、ＰＡ）が収集され、各通信装置（Ｅ）に定義されかつ記憶されたプロフィル（ＰＢ、ＰＡ）と比較され、加入者特有の相関しきい（ＫＡ、ＫＢ）に従って棄却されるか、または各加入者（Ａ、Ｂ）に報知され、
ｃ．通信システムの中間結合された供給者（Ｐ）を介して加入者（Ａ、Ｂ）間の通信接続が各加入者側の能動化の際に作られる
ことを特徴とする通信システムの加入者のプロフィル識別方法。
【請求項２】
無線の、ローカルに限られたネットワークテクノロジーとしてＬＡＮ（local area network）テクノロジーおよびＰＡＮ（personal area network）テクノロジーまたはそのいずれか一方、特にＢｌｕｅｔｏｏｔｈ、が使用されることを特徴とする請求項１記載の方法。
【請求項３】
各通信装置（Ｅ）としてそれぞれ移動性の、標準に従って機能する通信装置が使用され、その標準がＧＳＭ、ＧＰＲＳ、ＥＤＧＥおよびＵＭＴＳの群から選ばれたものであることを特徴とする請求項１または２記載の方法。
【請求項４】
加入者（Ａ、Ｂ）の各モジュール（Ｈ、ＭＡ、ＭＢ）にＩＤ番号（ＩＤ-Ａ、ＩＤ-Ｂ）が対応付けられることを特徴とする請求項１ないし３のいずれか１つに記載の方法。
【請求項５】
入力ユニット（Ｇ）としてコンピュータが使用されることを特徴とする請求項１ないし４のいずれか１つに記載の方法。
【請求項６】
加入者（Ａ、Ｂ）間の通信接続を形成するための過程ｃ.において、各加入者（Ａ、Ｂ）に各中性の電話番号（ＴＡ、ＴＢ）が割当てられることを特徴とする請求項１ないし５のいずれか１つに記載の方法。
【請求項７】
中性の電話番号（ＴＡ、ＴＢ）の割当てが一時的に行われることを特徴とする請求項６記載の方法。
【請求項８】
移動性の通信装置（Ｅ）に集積可能であり、かつ移動性の通信装置（Ｅ）にインタフェースを介して結合可能であり、又はそのいずれか一方であり、少なくとも下記の要素
Ａ．プロフィルを記憶するための記憶ユニット（Ａ）、
Ｂ．通信システムの加入者（Ａ、Ｂ）のプロフィル（ＰＡ、ＰＢ）を収集（スキャン）するための、無線の、ローカルに限られたネットワークテクノロジーに基づいて機能する収集ユニット（Ｂ）、
Ｃ．プロフィル（ＰＡ、ＰＢ）を相互に比較するための相関ユニット（Ｃ）、
Ｄ．信号化 ／同期化ユニット（Ｄ）
を有することを特徴とするモジュール（Ｈ、ＭＡ、ＭＢ）。
【請求項９】
収集ユニット（Ｂ）がＬＡＮテクノロジー及びＰＡＮテクノロジー又はそのいずれか一方のテクノロジーに基づいて機能するユニットであることを特徴とする請求項８記載のモジュール。
【請求項１０】
記憶ユニット（Ａ）がＲＡＭであることを特徴とする請求項８または９記載のモジュール。
【請求項１１】
相関ユニット（Ｃ）がマイクロコンピュータであることを特徴とする請求項８ないし１０のいずれか１つに記載のモジュール。
【請求項１２】
信号化／同期化ユニット（Ｄ）がソフトウェアにより支援される回路であることを特徴とする請求項８ないし１１のいずれか１つに記載のモジュール。
【発明の詳細な説明】
【技術分野】
【０００１】
本発明は通信システム、特に無線通信システム、の加入者のプロフィルの匿名式の識別のための方法に関するものである。特定の供給プロフィルおよび需要プロフィルの探索の際に、一方では特定のプロフィルとの加入者の直接的な接触の前に匿名式の選択が選択のために存在している種々のプロフィルのもとに実行し得ること、他方では同時に相応の加入者との即時の個人的な接触形成の可能性をも有することがしばしば望ましい。これまでは、供給または需要をたとえば印刷物（広告）、インターネット（たとえばウェブページ）、移動無線テクノロジー、たとえば供給者の質問紙を介して通常の媒体を用いて自ずから作成するのが通常であった。この供給は次いで手作業で、部分自動化されて、または全自動的に、既に供託された供給または需要と比較された。例としてここで探索者の希望プロフィルとの広告の認知的比較、探索機械によるインターネット内の探索および探索ロボットの使用があげられる。匿名式の予選択と組み合わせての特定の加入者の直接の即時の接触はこれまで不可能であった。
【０００２】
いま本発明の課題は、通信システムの加入者に簡単かつ迅速に通信システムの他の加入者の匿名式の供給プロフィルおよび需要プロフィルを識別すること、また事情によっては直ちに１つまたは複数の加入者と接触を形成することを可能にする方法およびモジュールを提供することである。
【０００３】
この課題は、請求項１による本発明による方法、請求項８による本発明によるモジュールにより解決される。有利な実施形態はそれぞれの従属請求項にあげられている。
【０００４】
請求項１によれば、通信システムの加入者のプロフィルの匿名式の識別のための方法において、
ａ．加入者が加入者特有のプロフィルを、各通信装置および各通信装置（Ｅ）に結合されている各モジュール（Ｈ、ＭＡ、ＭＢ）又はそのいずれか一方の各入力ユニットを介して定義しかつ記憶し、
ｂ．各通信装置に結合されている各モジュールを用いて、無線の、ローカルに限られたネットワークテクノロジーに基づいて通信システムの他の加入者のプロフィルが収集され、各通信装置で定義されかつ記憶されたプロフィルと比較され、加入者特有の相関しきいに従って棄却されるか、または各加入者に報知され、
ｃ．通信システムの中間結合された供給者を介して、加入者間の通信接続が各加入者側の能動化の際に作られる。
【０００５】
その際に入力ユニットは、たとえば移動電話のような移動通信装置のキーボード、またはたとえばパーソナルコンピュータ（ＰＣ）のような計算ユニットのキーボードであってよい。別の可能性は、外部装置、たとえばパーソナルコンピュータ（ＰＣ）におけるプロフィルの入力と、無線式のインタフェースを介して、一般に無線インタフェース又は赤外線インタフェースを介して、の通信装置へのデータの伝送とである。
【０００６】
通信装置に結合されたモジュールは通信装置のなかに集積されていてよく、またこうして通信装置の構成部分であってよく、または外部のモジュールとして通信装置といわゆる“プラグオン”モジュールの形態で接続されていてよい。
【０００７】
好ましい実施形態では、無線の、ローカルに限られたネットワークテクノロジーとしてＬＡＮ（local area network）テクノロジー及びＰＡＮ（personal area network）テクノロジー又はそのいずれか一方が使用される。特にBluetoothが使用されるのが有利である。用語Bluetoothのもとに、ローカルなデータ無線システムに対して種々の会社の専門家から成る“Special Interest Group”の1998仕様が紹介された。ライセンスフリーの周波数帯2.4ＧＨｚ（ＩＳＭ帯）では通信システムの加入者に約１Mbit／sまでの伝達容量が与えられる。その到達距離は＜１００ｍでわずかであり、またこうして優先的にローカルな範囲内の通信用に設計されている。本発明の範囲内ではBluetoothテクノロジーが下記の理由から特によく適している。
１．Bluetoothテクノロジーは世界的に標準化されたものであり、それは経済的であり、
また量産品である。
２．それは簡単にたとえばＧＳＭ、ＧＰＲＳ、ＥＤＧＥ、ＵＭＴＳのようなセル状の移動無線標準を有する通信装置に集積され得る。
３．無線チャネルの利用に対するコストが生じない。
【０００８】
Bluetoothに代るものとしてIEEE 802.11b ＬＡＮテクノロジーを使用することができる。ローカル アンド パーソナル ネットワーク( Local und Personal Area Network）に対する他の無線のテクノロジーは現在標準化の段階にある。
【０００９】
使用されるテクノロジーはその際に好ましくは移動性の、セル状の標準に従って機能する通信装置（以下ではセル状の通信装置という）と結合されている。その際にそれは特に好ましくは、ＧＳＭ標準、ＧＰＲＳ標準、ＥＤＧＥ標準やＵＭＴＳ標準による移動性の通信装置である。
【００１０】
通信システムの探索する加入者の直接的な周辺のなかで適当な供給プロフィルおよび需要プロフィルを匿名式に識別するため、探索する加入者からたとえば分類規則および記述規則を用いてたとえば対象物供給プロフィル、需要プロフィルまたは関心プロフィルが定義され、また適当な形態で有利にモジュールまたは通信装置に記憶される。標準化された分類規則により、たとえば供給対象物ないし需要対象物または関心範囲の形式が記述され、標準化された、対象物に特徴的な記述規則により対象物自体が記述される。標準化された規則の決定は成功裡の相関の可能性を作る。
【００１１】
使用されるモジュールは、無線の、ローカルに限られたネットワークテクノロジーに基づいて自動的に、この目的で、探索する加入者自体と同一の無線セルのなかに位置している各他のモジュールに接触する。こうして直接的な、双方向の接続が作られる。加入者の相応の無線セルのなかの別のモジュールの識別の後に、この目的でのこのモジュールとの接続が構成され、また続いて有利な仕方で双方向に、相応の加入者のプロフィルが探索する加入者に伝達される。データの受信の後にプロフィルの相関が、有利な仕方で両方の関与するモジュールのなかで行われる。
【００１２】
本発明による方法の好ましい実施形態では、加入者の各モジュールにＩＤ番号が対応付けられる。有利な仕方で自動的に、Bluetooth標準によりサポートされるいわゆるBluetooth装置アドレスが、世界的に各Bluetoothモジュールを一義的に特徴付けるＩＤ番号として使用される。このモジュールはたとえばシステムの最初のスイッチオンの後にそのＩＤ番号を、好ましくはセル状の通信装置を介して、中間結合されている供給者またはプロバイダに伝送する。プロバイダはそれによってモジュールのＩＤ番号とセル状の通信装置のアドレス指定（電話番号）との間の一義的な対応付けを作る。この対応付けは、モジュールが交換されない間のみ有効である。他のモジュールが通信装置に接続されると、新しい対応付けがプロバイダにおいて行われなければならない。そのために上述の方法が利用され得る。ＩＤ番号が同じく相応のモジュールを識別するため双方向に各２つのモジュール間の接触の際に伝送される。
【００１３】
前もって相応の加入者により定義された相関しきいは、相関に従って、２つのプロフィルが十分に合致するものとして評価されるべきか否かを判定する。肯定であれば、加入者は適当な形態、たとえば音響、によりポジティブな相関の結果を報知される。この報知は、供給および需要に関して関心のあるパートナーまたは対象物がすぐ近くに位置していることを表す。Bluetoothテクノロジーの使用の際には、この間隔は一般に＜１００ｍである。
【００１４】
加入者の最終的な個人的な接触のためには、すなわち直接的な通信接続を作るためには、いま本発明の意味で下記の規範が重要である。
・使用されるネットワークテクノロジーにより、直接的な視覚接続は前提とされ得ず、ま
た前提とされるべきではない、このことは接触を簡単化するであろう。
・秘密保持の希望により、直接の個人的な（視覚の）接続を形成しなければならないこと、またはそれが認識されることが必然的に必要であってはならない。さらに、接続を時間的に直ちに形成しなければならないことが必然的に必要であってはならない。また、電話番号またはアドレスのような直接の接触のための個人的な指示を洩らし得ることが回避され得なければならない。
・加入者はそのプライバシーの完全な保護の際の個人的な接触の受諾または拒否への完全なフレキシビリティを有する。
【００１５】
直接的な通信接続が作られるべきであれば、このことは本発明によれば各加入者側の適当な能動化により行われる。このような能動化はたとえばモジュール又は通信装置の入力ユニットにおけるキーを押すことにより行われ得る。本発明によれば次いで先ず自動的に通信接続、好ましくは通信システムの中間結合された供給者、いわゆるプロバイダ、へのＧＳＭ接続、ＧＰＲＳ接続、ＥＤＧＥ接続またはＵＭＴＳ接続が構成される。この中間結合された供給者またはプロバイダは接触の編成を引き受ける。接触はたとえば下記のように編成されていてよい。
【００１６】
加入者Ａのモジュールは、中間結合された供給者またはプロバイダへの好ましくはセル状の通信装置を介しての接触要求により、加入者Ａが接触したい加入者ＢのモジュールのＩＤ番号を伝達する。供給者に格納されているこのＩＤ番号により、加入者Ｂおよび付属のモジュールが一義的に識別可能である。供給者またはプロバイダは、加入者Ｂのモジュールまたは加入者Ｂが加入者Ａと接触を形成したいか、同じく定義すべき時間窓の範囲内で接触への関心を表明しているか、その後にそれにＩＤ番号が接触要求と一緒に伝達されたか否かを検査する。その結果が否定であれば、直接的な接触は不可能である。料金形成に応じて、上首尾の直接の接触でない場合にも供給者またはプロバイダは加入者Ａから料金を請求することができる。
【００１７】
加入者Ｂが同じく接触形成に関心を有するならば、加入者Ｂまたは加入者ＢのモジュールがＡのＩＤ番号を接触要求と一緒に同じく好ましくはセル状の通信装置を介してプロバイダに伝達する。両方の接触要求およびモジュールのＩＤ番号が定められた時間窓のなかに存在するならば、接触は成功である。好ましくは、加入者ＡとＢとの間の通信接続を作るため加入者にそれぞれ中性の電話番号が割当てられる。それにより、両加入者が、匿名性の保護のために個人的な電話番号と等しくない中性の電話番号を介して接触を形成し得る可能性が生み出される。中性の電話番号は好ましくは決定すべき時間窓に対して一時的に割当てられる。供給者はたとえば加入者ＡおよびＢの各成功した接触に対して、たとえば今日のＳＭＳ（short message service）送信のオーダーの料金を徴収し得る。こうして接触の形成が成功する。加入者ＡおよびＢは今や口頭で申し合わせることができる。両加入者が互いに近くに位置していることに基づいて即時の個人的な接触も可能である。
【００１８】
本発明の別の応用では、加入者の１つは製品またはサービスの静止または移動供給者であってよい。与えられた記述に相応して、供給または需要は記述されたテクノロジーにより限られた周辺地域における各通り過ぎる加入者に通信される。知られているテクノロジーに相応してこのサービスは“located based offer”または“location based services”と呼ばれ得る。場所の正確な場所的記述のための情報とならんで、サービスの供給者は可能性のある顧客による関心の確認の際に、有利にたとえば価格のような別の情報を通信装置を介して送達され得る。上述の応用と異なり、サービスの供給者は相関を有利に自動的に確認する。
【００１９】
冒頭にあげた既存の識別システムにくらべて本発明の利点はなかんずく、探索する加入者および提供する加入者が互いにすぐ近くに位置しており、それによって両加入者が相互に関心がある際に事情によっては直接にかつ自発的に個人的な接触を形成し得ることが可能である。加入者がたとえばそのすぐ近くのすぐにもテニスをしたいテニスパートナーを探索すると、本発明による方法を用いて、その近くに適当なテニスパートナーがいるか否かを見出すことが可能である。結果が肯定であれば、すなわち供給および需要の合致が識別され得るならば、両加入者の各々が状況により条件付けられるリアクションオプションを有する。両加入者が加入者側の能動化により接触の受け入れに関心を表明するときにのみ、通信接続が作られる。こうして両加入者が自発的に、簡単にかつ迅速に互いに接触を受け入れ得る。直接の個人的な接触受け入れまで、たとえば電話番号やアドレスのような個人的な接触情報が出力されないことにより、プライバシーは保証された状態にとどまる。このことは、友人やパートナーの探索の際に本発明による方法を使用する際に特に重要である。
【００２０】
本発明の別の利点は、適当なプロフィルの探索が、対応する加入者が繰り返し行動をおこす必要なしに、より近い環境のなかで場所的かつ時間的に絶えず実行されることにある。それは、探索が他の仕事と平行して行われることを意味する。さらに、探索は、既述のように、内密かつ匿名性である。それは義務と結び付くものではなく、かつ個人的に制御可能である。
【００２１】
さらに本発明は、移動性の通信装置に集積可能であり、かつ移動性の通信装置にインタフェースを介して結合可能であるか、又はそのいずれか一方であり、少なくとも下記の要素
Ａ．プロフィルを記憶するための記憶ユニット、
Ｂ．通信システムの加入者のプロフィルを収集（スキャン）するための、無線の、ローカルに限られたネットワークテクノロジーに基づいて機能する収集ユニット、
Ｃ．プロフィルを相互に比較するための相関ユニット、
Ｄ．信号化／同期化ユニット
を有することを特徴とするモジュールに関するものである。
【００２２】
モジュールの上記の構成部分は、集積の増大と共に通信装置の構成部分となり得る。こうしてたとえばメモリユニットは通信装置のメモリに集積され、相関ユニットの機能が通信装置のプロセッサにより実行され、また信号化および同期化ユニットの機能を通信装置の付加のハードウェアが引受けることができる。通信装置に完全に集積されたモジュールに対して特徴的なのは、ＬＡＮ／ＰＡＮテクノロジーおよび付加の機能を制御するための特有のソフトウェアである
【００２３】
移動性の通信装置は好ましくは、たとえばＧＳＭ、ＧＰＲＳ、ＥＤＧＥまたはＵＭＴＳのようなセル状の通信標準を支援する。通信装置の最も重要な構成要素はモジュールに対するインタフェースを有する移動性無線ハードウェア及びソフトウェア及び入力ユニットである。
【００２４】
好ましくは収集ユニットはＬＡＮテクノロジー及びＰＡＮテクノロジー又はそのいずれか一方に基づいて機能するユニットである。
【００２５】
さらに、好ましくは記憶ユニットはＲＡＭである。
【００２６】
相関ユニットは好ましくはマイクロコンピュータである。さらに、信号化／同期化ユニットは好ましくはソフトウェアにより支援される回路である。
【００２７】
本発明の他の利点は以下に図面により詳細に説明される。
【００２８】
通信システム内の加入者Ａの側からプロフィルＰＡを探索かつ識別するため、加入者Ａは先ず加入者Ａにより定義かつ探索されるプロフィルＰＡをモジュールＭＡに入力し、同時に相関しきいＫＡを決定する。この相関しきいＫＡは、他の加入者のプロフィルを加入者ＡのプロフィルＰＡと比較する際に、加入者Ａが他の加入者の相応する他のプロフィルをより密な選択に引き入れるために、どの合致が存在すべきかを決定する。通信システムの他の加入者Ｂは加入者Ｂにより定義かつ探索されるプロフィルＰＢをモジュールＭＢに入力し、相関しきいＫＢを決定する。加入者ＡのモジュールＭＡのＩＤ番号（以下ではＩＤ-Ａという）と加入者ＢのモジュールＭＢのＩＤ番号（以下ではＩＤ-Ｂという）とは供給者Ｐに伝達され、そこに記憶される。この供給者はそれによって加入者Ａの電話番号とＭＡのＩＤ番号ＩＤ-Ａと、また加入者Ｂの電話番号とＭＢのＩＤ番号ＩＤ-Ｂとの一義的な対応付けを持っている。モジュールＭＡは、他の加入者の他のモジュールへの各接続構成を用いて、ＬＡＮテクノロジーまたはＰＡＮテクノロジーを介してより近い周辺地域のなかの通信システムの他の加入者のプロフィルを集める。モジュールＭＢも同じ方法をとる。その際になかんずくモジュールＭＡからモジュールＭＢへの接続Ａ-Ｂも作られる。モジュールＭＡはプロフィルＰＡをＩＤ番号ＩＤ-Ａと一緒に、データを受信するモジュールＭＢに送る。同じくモジュールＭＢはプロフィルＰＢを相応のＩＤ番号ＩＤ-Ｂと一緒にモジュールＭＡに送る。モジュールＭＡのなかでもモジュールＭＢのなかでもそれぞれ両プロフィルＰＡおよびＰＢの相関Ｋｏｒｒが実行される。両モジュールにおいて各相関しきいＫＡおよびＫＢが到達されていると、加入者Ａも加入者Ｂも、たとえばそのモジュール又は通信装置の入力ユニットのキーを押すことなどの適当な能動化により、通信接続を形成したいという希望を表明する可能性を有する。次いで自動的に通信システムの供給者へのＧＳＭ接続が構成される。両加入者が決められた時間窓内で通信接続を形成したいという希望を表明すると、供給者の側から加入者Ａに加入者Ｂの一時的な電話番号ＴＢが、また加入者Ｂに加入者Ａの一時的な電話番号ＴＡが対応付けられる。これらの電話番号は加入者に相応に対応付けられ、その結果加入者ＡおよびＢはこれらの電話番号を介してそれぞれ互いに接触Ｋを受け入れることができる。
【００２９】
図２は、移動性通信装置Ｅに集積されているモジュールＨを示す。移動性通信装置Ｅは構成要素として無線ハードウェアＦとモジュールＨおよび入力ユニットＧに対するインタフェースを有するソフトウェアとを含んでいる。モジュールＨはプロフィルを記憶するための記憶ユニットＡと、通信システムの加入者のプロフィルを収集（スキャン）するための、無線の、ローカルに限られたネットワークテクノロジーに基づいて機能する収集ユニットＢと、プロフィルを相互に比較するための相関ユニットＣと、信号化／同期化ユニットＤとを含んでいる。
【図面の簡単な説明】
【００３０】
【図１】本発明による方法の一実施例の概要流れ図である。
【図２】移動性の通信装置に集積されている本発明によるモジュールの一実施例の概要図である。
【符号の説明】
【００３１】
ＰＡ、ＰＢ  加入者のプロフィル
ＭＡ、ＭＢ  モジュール
ＫＡ、ＫＢ  相関しきい
ＩＤ-Ａ、ＩＤ-Ｂ  ＩＤ番号
Ｋｏｒｒ  相関  
Ａ  記憶ユニット
Ｂ  収集ユニット
Ｃ  相関ユニット
Ｄ  信号化／同期化ユニット
Ｅ  通信装置
Ｆ  無線ハードウェア
Ｇ  入力ユニット
Ｈ  モジュール
【図１】
2005514866.tif 000003
【図２】
2005514866.tif 000004
【国際調査報告】
2005514866.tif 000005
2005514866.tif 000006
2005514866.tif 000007
2005514866.tif 000008
2005514866.tif 000009
2005514866.tif 000010